(57)【要約】【課題】  本発明は、上記問題を解決するために案出されたものであり、本発明の目的は、クロストークを除去するために、３Ｄグラスの左眼グラス及び右眼グラスをオープンさせる駆動信号のデューティを決定することができる、３Ｄグラスの駆動方法及びこれを用いた３Ｄグラスと３Ｄディスプレイ装置を提供することにある。【解決手段】  ３Ｄグラスの駆動方法及びこれを用いた３Ｄグラスと３Ｄディスプレイ装置が開示される。シャッターグラス方式の３Ｄグラスの駆動方法は、外部機器から同期信号を受信し、前記３Ｄグラスの左眼グラス及び右眼グラスをオープンさせる駆動信号のデューティ（ｄｕｔｙ  ｃｙｃｌｅ）を決定し、同期信号及び決定されたデューティに基づいて、３Ｄグラスの左眼グラスと右眼グラスとを交互に開閉する。これにより、ユーザは希望する明るさでクロストーク現象の除去された３Ｄ映像を視聴することができるようになる。【選択図】図５
2011139456.tif 000002
【特許請求の範囲】
【請求項１】
シャッターグラス方式の３Ｄ（３−Ｄｉｍｅｎｓｉｏｎ）グラスの駆動方法において、
外部機器から同期信号を受信するステップと、
前記３Ｄグラスの左眼グラス及び右眼グラスをオープンさせる駆動信号のデューティ（ｄｕｔｙ  ｃｙｃｌｅ）を決定するステップと、
前記同期信号及び前記決定されたデューティに基づいて、前記３Ｄグラスの左眼グラスと右眼グラスとを交互に開閉するステップと、
を含む３Ｄグラスの駆動方法。
【請求項２】
前記同期信号は、
複数個のパルスが前記外部機器の垂直同期信号（Ｖｓｙｎｃ）毎に周期的に発生することで生成されることを特徴とする請求項１に記載の３Ｄグラスの駆動方法。
【請求項３】
前記決定ステップは、
前記左眼グラスと右眼グラスとがオープンされるデューティの長さを調節することで、過渡期間の存在する駆動信号を決定することを特徴とする請求項１に記載の３Ｄグラスの駆動方法。
【請求項４】
前記決定ステップは、
ユーザの特定命令を受信するステップと、
前記受信された特定命令に対応するようにデューティを決定するステップと、
を含むことを特徴とする請求項１に記載の３Ｄグラスの駆動方法。
【請求項５】
前記ユーザの特定命令を受信するステップは、
前記３Ｄグラスに取り付けられたユーザ操作部によって前記特定命令を受信することを特徴とする請求項４に記載の３Ｄグラスの駆動方法。
【請求項６】
前記ユーザ操作部は、
ダイアルスイッチ及びボタンのうち一つであることを特徴とする請求項４に記載の３Ｄグラスの駆動方法。
【請求項７】
前記外部機器は、
３Ｄ  ＬＣＤ機器であることを特徴とする請求項１に記載の３Ｄグラスの駆動方法。
【請求項８】
前記決定ステップは、
デューティ調節命令を前記外部機器から受信するステップと、
前記受信されたデューティ調節命令に対応するようにデューティを決定するステップと、
を含むことを特徴とする請求項１に記載の３Ｄグラスの駆動方法。
【請求項９】
シャッターグラス方式の３Ｄ（３−Ｄｉｍｅｎｓｉｏｎ）グラスにおいて、
外部機器から同期信号を受信する受信部と、
左眼グラスと右眼グラスとを含むグラス部と、
前記３Ｄグラスの左眼グラス及び右眼グラスをオープンさせる駆動信号のデューティ（ｄｕｔｙ  ｃｙｃｌｅ）を決定する制御部と、
前記決定されたデューティを有する駆動信号を生成して、前記駆動信号を前記グラス部に伝達する駆動部と、
を含む３Ｄグラス。
【請求項１０】
前記同期信号は、
複数個のパルスが前記外部機器の垂直同期信号（Ｖｓｙｎｃ）毎に周期的に発生することで生成されることを特徴とする請求項９に記載の３Ｄグラス。
【請求項１１】
前記制御部は、
前記左眼グラスと右眼グラスとがオープンされるデューティの長さを調節することで、過渡期間の存在する駆動信号を生成するように前記駆動部を制御することを特徴とする請求項９に記載の３Ｄグラス。
【請求項１２】
前記制御部は、
ユーザの特定命令が入力されると、前記ユーザの特定命令に対応するようにデューティを決定することを特徴とする請求項９に記載の３Ｄグラス。
【請求項１３】
前記ユーザの特定命令を受信するために、３Ｄグラスに取り付けられて前記デューティを調節することのできるユーザ操作部を更に含み、
前記制御部は、
前記ユーザ操作部によって入力されたユーザの特定命令に対応するデューティを有する駆動信号を生成するように前記駆動部を制御することを特徴とする請求項１２に記載の３Ｄグラス。
【請求項１４】
前記ユーザ操作部は、
ダイアルスイッチ及びボタンのうち一つであることを特徴とする請求項１３に記載の３Ｄグラス。
【請求項１５】
前記外部機器は、
３Ｄ  ＬＣＤ機器であることを特徴とする請求項９に記載の３Ｄグラス。
【発明の詳細な説明】
【技術分野】
【０００１】
本発明は、３Ｄグラスの駆動方法及びこれを用いた３Ｄグラスと３Ｄディスプレイ装置に関し、より詳細には、シャッターグラス方式を使用する３Ｄグラスの駆動方法及びこれを用いた３Ｄグラスと３Ｄディスプレイ装置に関する。
【背景技術】
【０００２】
３次元立体映像技術は、情報通信、放送、医療、教育訓練、軍事、ゲーム、アニメーション、仮想現実、ＣＡＤ、産業技術等、その応用分野が非常に多様であり、このような様々な分野で共通して必要とされる次世代３次元立体のマルチメディア情報通信のコア基盤技術といえる。
【０００３】
一般的に、人が知覚する立体感は、観察しようとする物体の位置による水晶体の厚さの変化度合い、両眼と対象物との角度の差、そして左右眼に見える対象物の位置及び形態の相違、対象物の運動によって生じる時差、その他に各種心理及び記憶による効果等が複合的に作用して生じる。
【０００４】
その中でも、人の両眼が横方向に約６〜７ｃｍ程離れていることで生じる両眼時差(ｂｉｎｏｃｕｌａｒ  ｄｉｓｐａｒｉｔｙ)は、立体感において最も重要な要因といえる。即ち、両眼時差によって対象物に対する角度の差が生じたままモノを見るようになり、この差によってそれぞれの眼に入ってくるイメージが相互に異なる像を持つようになって、この二つの映像が網膜を通じて脳へと伝達されると、脳はこの二つの情報を正確に融合して本来の３次元立体映像を感じることができるのである。
【０００５】
立体映像のディスプレイ装置としては、特殊眼鏡を使う眼鏡式と、特殊眼鏡を使わない非眼鏡式に分けられる。眼鏡式は、相互補色関係にある色フィルターを用いて映像を分離選択する色フィルター方式、直交した偏光素子の組み合わせによる遮光効果を用いて左眼と右眼の映像を分離する偏光フィルター方式及び左眼映像信号と右眼映像信号をスクリーンに投射する同期信号に対応して左眼と右眼とを交互に遮断することで立体感が感じられるようにするシャッターグラス方式が存在する。
【０００６】
この中のシャッターグラス方式は、両眼の時差を用いたディスプレイ方法として、ディスプレイ装置の映像提供と眼鏡の左右両眼のオン−オフを同期化し、それぞれ異なった角度から観察された映像が頭脳作用による空間感を認識させるようにする方式である。
【０００７】
しかし、３Ｄグラスのグラス部は液晶を含む。従って、液晶の反応速度が遅い場合、シャッターグラス方式の３Ｄグラスの左眼グラスがオープンされるとき、左眼グラスで右眼映像が見えるクロストーク（ｃｒｏｓｓｔａｌｋ）現象が発生する。従って、ユーザは３Ｄ映像をろくに視聴できないだけでなく、３Ｄ映像を視聴するときにユーザの眼に激しい刺激と疲労感を与えるようになる。これにより、シャッターグラス方式を使用する場合、シャッターグラスを着用したユーザに与える刺激を最小化するための方策への模索が求められている。
【先行技術文献】
【特許文献】
【０００８】
【特許文献１】米国特許第５４５２０２６号明細書
【特許文献２】米国特許第６５１１１７５号明細書
【特許文献３】日本特開第０６−１４１２６４号公報
【特許文献４】日本特開第０９−１３８３８４号公報
【発明の概要】
【発明が解決しようとする課題】
【０００９】
本発明は、上記問題を解決するために案出されたものであり、本発明の目的は、クロストークを除去するために、３Ｄグラスの左眼グラス及び右眼グラスをオープンさせる駆動信号のデューティを決定することができる、３Ｄグラスの駆動方法及びこれを用いた３Ｄグラスと３Ｄディスプレイ装置を提供することにある。
【課題を解決するための手段】
【００１０】
前記目的を達成するための本発明の一実施形態にかかるシャッターグラス方式の３Ｄ（３−Ｄｉｍｅｎｓｉｏｎ）グラスの駆動方法は、外部機器から同期信号を受信するステップと、前記３Ｄグラスの左眼グラス及び右眼グラスをオープンさせる駆動信号のデューティ（ｄｕｔｙ  ｃｙｃｌｅ）を決定するステップと、前記生成された駆動信号に基づいて、前記３Ｄグラスの左眼グラスと右眼グラスとを交互に開閉するステップと、を含む。
【００１１】
そして、前記同期信号は、複数個のパルスが前記外部機器の垂直同期信号（Ｖｓｙｎｃ）毎に周期的に発生することで生成されることが好ましい。
【００１２】
また、前記決定ステップは、前記左眼グラスと右眼グラスとがオープンされるデューティの長さを調節することで、過渡期間の存在する駆動信号を決定することが好ましい。
【００１３】
そして、前記決定ステップは、ユーザの特定命令を受信するステップと、前記受信された特定命令に対応するようにデューティを決定するステップと、を含むことが好ましい。
【００１４】
なお、前記ユーザの特定命令を受信するステップは、前記３Ｄグラスに取り付けられたユーザ操作部によって前記特定命令を受信することが好ましい。
【００１５】
そして、前記ユーザ操作部は、ダイアルスイッチ及びボタンのうち一つであることが好ましい。
【００１６】
なお、前記外部機器は、３Ｄ  ＬＣＤ機器であることが好ましい。
【００１７】
そして、前記決定ステップは、デューティ調節命令を前記外部機器から受信するステップと、前記受信されたデューティ調節命令に対応するようにデューティを決定するステップと、を含むことが好ましい。
【００１８】
一方、前記目的を達成するための本発明の一実施形態にかかるシャッターグラス方式の３Ｄ（３−Ｄｉｍｅｎｓｉｏｎ）グラスは、外部機器から同期信号を受信する受信部と、左眼グラスと右眼グラスとを含むグラス部と、前記３Ｄグラスの左眼グラス及び右眼グラスをオープンさせる駆動信号のデューティ（ｄｕｔｙ  ｃｙｃｌｅ）を決定する制御部と、前記決定されたデューティを有する駆動信号を生成して、前記駆動信号を前記グラス部に伝達する駆動部と、を含む。
【００１９】
そして、前記同期信号は、複数個のパルスが前記外部機器の垂直同期信号（Ｖｓｙｎｃ）毎に周期的に発生することで生成されることが好ましい。
【００２０】
なお、前記制御部は、前記左眼グラスと右眼グラスとがオープンされるデューティの長さを調節することで、過渡期間の存在する駆動信号を生成するように前記駆動部を制御することが好ましい。
【００２１】
そして、前記制御部は、ユーザの特定命令が入力されると、前記ユーザの特定命令に対応するようにデューティを決定することが好ましい。
【００２２】
なお、前記ユーザの特定命令を受信するために、３Ｄグラスに取り付けられて前記デューティを調節することのできるユーザ操作部を更に含み、前記制御部は、前記ユーザ操作部によって入力されたユーザの特定命令に対応するデューティを有する駆動信号を生成するように前記駆動部を制御することが好ましい。
【００２３】
そして、前記ユーザ操作部は、ダイアルスイッチ及びボタンのうち一つであることが好ましい。
【００２４】
なお、前記外部機器は、３Ｄ  ＬＣＤ機器であることが好ましい。
【００２５】
そして、前記制御部は、前記受信部を介してデューティ調節命令が前記外部機器から受信されると、前記受信されたデューティ調節命令に対応するようにデューティを決定することが好ましい。
【００２６】
一方、前記目的を達成するための本発明の一実施形態にかかるシャッターグラス方式の３Ｄ（３−Ｄｉｍｅｎｓｉｏｎ）グラスと連動する３Ｄディスプレイ装置において、３Ｄグラスの同期信号を伝送する伝送部と、前記３Ｄグラスのデューティ調節のためにユーザのデューティ調節命令を受信するユーザ命令受信部と、前記ユーザ命令受信部を介してデューティ調節命令が入力されると、前記入力されたデューティ調節命令を前記３Ｄグラスに送信するように制御する制御部と、を含む。
【００２７】
そして、前記同期信号は、複数個のパルスが前記外部機器の垂直同期信号（Ｖｓｙｎｃ）毎に周期的に発生することで生成されることが好ましい。
【発明の効果】
【００２８】
以上説明したように、本発明によると、ユーザがデューティのオープンされる期間の長さを調整することができるようになることで、３Ｄグラスを着用したユーザが３Ｄ映像を視聴するとき、ユーザが希望する明るさでクロストークのない３Ｄ映像を提供してもらうことができるようになる。
【図面の簡単な説明】
【００２９】
【図１】本発明の一実施例にかかる３Ｄ映像提供システムを示す図である。
【図２】本発明の一実施形態にかかる３Ｄ映像を提供するＴＶのブロック図を示す図である。
【図３】本発明の一実施形態にかかる３Ｄグラスのブロック図を示す図である。
【図４】本発明の一実施形態にかかる３Ｄグラスの側面図を簡略に示す図である。
【図５】本発明の一実施形態にかかる３Ｄグラスの駆動信号が調節される方法を説明するための図である。
【図６】本発明の一実施形態にかかる３Ｄグラスが駆動する過程を詳しく説明するためのフローチャートである。
【図７】本発明の一実施形態にかかる３Ｄグラスの駆動信号をＴＶで調節する方法を説明するための図である。
【発明を実施するための形態】
【００３０】
以下に添付図面を参照して本発明をより詳細に説明する。
【００３１】
図１乃至図３を参照して、３Ｄ（３−Ｄｉｍｅｎｓｉｏｎ）映像提供システムの動作原理及び構成について説明する。
【００３２】
図１は本発明の一実施形態に係る３Ｄ映像提供システムを示す図である。図１に示されたように、３Ｄ映像提供システムは、３Ｄ映像を生成するためのカメラ１００、３Ｄ映像を画面に表示するためのＴＶ２００及び３Ｄ映像を視聴するための３Ｄグラス３００で構成される。
【００３３】
カメラ１００は、３Ｄ映像を生成するための撮影装置の一種として、ユーザの左眼に提供することを目的として撮影された左眼映像と、ユーザの右眼に提供することを目的として撮影された右眼映像とを生成する。即ち、３Ｄ映像は左眼映像と右眼映像とで構成され、このような左眼映像と右眼映像とがユーザの左眼と右眼にそれぞれ交互に提供され、両眼時差による立体感が生じるようになる。
【００３４】
これのために、カメラ１００は左眼映像を生成するための左眼カメラと、右眼映像を生成するための右眼カメラとで構成され、左眼カメラと右眼カメラとの間隔は、人間の両目間の離隔間隔から考慮されるようになる。
【００３５】
カメラ１００は、撮影された左眼映像と右眼映像とをＴＶ２００に伝達する。特に、カメラ１００がＴＶ２００に伝達する左眼映像と右眼映像は、一つのフレームに左眼映像及び右眼映像のうちの一つの映像のみで構成されたフォーマットで伝達されたり、一つのフレームに左眼映像と右眼映像とが両方含まれるように構成されたフォーマットで伝達されることができる。
【００３６】
カメラ１００は多様な３Ｄ映像のフォーマットのうちの一つのフォーマットを予め決定し、決定されたフォーマットに従って３Ｄ映像を生成してＴＶ２００に伝達するようになる。
【００３７】
ＴＶ２００は、ディスプレイ装置の一種として、カメラ１００などの撮影装置から受信された３Ｄ映像又はカメラ１００によって撮影されて放送局で編集／加工された後、放送局で送出された３Ｄ映像を受信し、受信された３Ｄ映像を処理した後にそれを画面に表示する。特に、ＴＶ２００は３Ｄ映像のフォーマットを参照し、左眼映像と右眼映像を加工し、加工された左眼映像と右眼映像とが時分割されて交互にディスプレイされるようにする。
【００３８】
更に、ＴＶ２００は左眼映像と右眼映像とが時分割されてディスプレイされるタイミングと同期された同期信号を生成して３Ｄグラス３００に伝達する。ここで、同期信号は、複数個のパルスがＴＶ２００の垂直同期信号（Ｖｓｙｎｃ）毎に周期的に発生されることにより生成される。
【００３９】
このようなＴＶ２００の具体的な構成についての説明のために、図２を参照する。図２は、本発明の一実施形態に係るＴＶ２００のブロック図を示した図である。
【００４０】
図２に示されたように、本実施形態に係るＴＶ２００は、映像受信部２１０、映像処理部２２０、映像出力部２３０、制御部２４０、ＧＵＩ（Ｇｒａｐｈｉｃ  Ｕｓｅｒ  Ｉｎｔｅｒｆａｃｅ）生成部２５０、保存部２６０、ユーザ命令受信部２７０及びＩＲ伝送部２８０を備える。
【００４１】
映像受信部２１０は、放送局又は衛星から有線又は無線で受信される放送を受信して復調する。なお、映像受信部２１０には、カメラ１００などの外部機器に接続されて外部機器から３Ｄ映像が入力される。外部機器は無線で接続されたりＳ−Ｖｉｄｅｏ、コンポーネント、コンポジット、Ｄ−Ｓｕｂ、ＤＶＩ、ＨＤＭＩなどのインターフェースを介して有線で接続されることができる。
【００４２】
上述したように、３Ｄ映像は少なくとも一つフレームで構成された映像として、一つの映像フレームに左眼映像と右眼映像とが含まれたり、各フレームが左眼映像又は右眼映像で構成された映像を意味する。即ち、３Ｄ映像は、多様な３Ｄフォーマットのうちの一つによって生成された映像である。
【００４３】
従って、映像受信部２１０に受信される３Ｄ映像は多様なフォーマットによることができ、特に、一般的なフレームシーケンス方式、トップ＆ボトム方式、サイドバイサイド方式、水平インターリーブ方式、垂直インターリーブ方式及びチェッカーボード方式のうちの一つによるフォーマットでなされることができる。
【００４４】
映像受信部２１０は、受信された３Ｄ映像を映像処理部２２０に伝達する。
【００４５】
映像処理部２２０は、映像受信部２１０に受信された３Ｄ映像に対してビデオデコーディング、フォーマット分析、ビデオスケーリングなどの信号処理及びＧＵＩ付加などの作業を行う。
【００４６】
特に、映像処理部２２０は、映像受信部２１０に入力された３Ｄ映像のフォーマットを用いて、一つの画面の大きさ（１９２０*１０８０）に該当する左眼映像と右眼映像とをそれぞれ生成する。
【００４７】
即ち、３Ｄ映像のフォーマットが、トップ＆ボトム方式、サイドバイサイド方式、水平インターリーブ方式、垂直インターリーブ方式又はチェッカーボード方式によるフォーマットである場合、映像処理部２２０は各映像フレームで左眼映像部分と右眼映像部分をそれぞれ抽出し、抽出された左眼映像と右眼映像とを拡大スケーリング又は補間することで、ユーザに提供するための左眼映像と右眼映像とをそれぞれ生成するようになる。
【００４８】
なお、３Ｄ映像のフォーマットが一般的なフレームシーケンス方式である場合、映像処理部２２０は各フレームから左眼映像又は右眼映像を抽出してユーザに提供するための準備をする。
【００４９】
一方、入力された３Ｄ映像のフォーマットに対する情報は、３Ｄ映像信号に含まれていることも、含まれていないこともできる。
【００５０】
例えば、入力された３Ｄ映像のフォーマットに対する情報が、３Ｄ映像信号に含まれている場合、映像処理部２２０は３Ｄ映像を分析してフォーマットに対する情報を抽出し、抽出された情報に従って受信された３Ｄ映像を処理するようになる。一方、入力された３Ｄ映像のフォーマットに対する情報が３Ｄ映像信号に含まれていない場合、映像処理部２２０はユーザにより入力されたフォーマットに従って受信された３Ｄ映像を処理したり、予め設定されたフォーマットに従って受信された３Ｄ映像を処理するようになる。
【００５１】
更に、映像処理部２２０は後述のＧＵＩ生成部２５０から受信されたＧＵＩが左眼映像、右眼映像、又は両方共に付加されるようにする。
【００５２】
映像処理部２２０は抽出された左眼映像と右眼映像とを時分割して交互に映像出力部２３０に伝達する。即ち、映像処理部２２０は「左眼映像（Ｌ１）→右眼映像（Ｒ１）→左眼映像（Ｌ２）→右眼映像（Ｒ２）→…」の時間的順番で左眼映像と右眼映像を映像出力部２３０に伝達する。
【００５３】
映像出力部２３０は、映像処理部２２０から出力される左眼映像と右眼映像とを交互に出力してユーザに提供する。
【００５４】
ＧＵＩ生成部２５０は、ディスプレイに表示されるＧＵＩを生成する。ＧＵＩ生成部２５０で生成されたＧＵＩは映像処理部２２０に印加され、ディスプレイに表示される左眼映像、右眼映像、又は両方共に付加されるようになる。
【００５５】
また、ＧＵＩ生成部２５０は、ＴＶ２００と連動する３Ｄグラス３００のデューティを調節できる３Ｄグラスデューティ調節メニューを生成することができる。
【００５６】
保存部２６０は、ＴＶ２００を動作させるために必要な各種プログラムなどが保存される保存媒体として、外部又は内部に備えられることができ、揮発性メモリー（例えば、ＲＡＭ）又は非揮発性メモリー（例えば、ＨＤＤ（Ｈａｒｄ  Ｄｉｓｋ  Ｄｒｉｖｅ））などで実現可能である。
【００５７】
ユーザ命令受信部２７０は、リモコンなどの入力手段から受信されるユーザ命令を制御部２４０に伝達する。
【００５８】
また、ユーザ命令受信部２７０は、リモコンなどを介して、３Ｄグラス３００のデューティを調節するためにユーザのデューティ調整命令を受信することができる。
【００５９】
ＩＲ伝送部２８０は、交互に出力される左眼映像及び右眼映像と同期された同期信号を生成し、生成された同期信号を赤外線の形で３Ｄグラス３００に伝送する。これは、ＴＶ２００と３Ｄグラス３００間の同期を通して、３Ｄグラス３００が交互に開閉され、３Ｄグラス３００の左眼のオープンタイミングで映像出力部２３０で左眼映像が表示され、３Ｄグラス３００の右眼のオープンタイミングで映像出力部２３０で右眼映像が表示されるようにするためである。
【００６０】
なお、ユーザ命令受信部２７０を介して３Ｄグラス３００のデューティ調整命令が入力されると、ＩＲ伝送部２８０は入力されたデューティ調節命令を３Ｄグラス３００に伝送することができる。
【００６１】
制御部２４０は、ユーザ命令受信部２７０から伝達されたユーザ命令に従ってＴＶ２００の全般の動作を制御する。
【００６２】
特に、制御部２４０は映像受信部２１０及び映像処理部２２０を制御し、３Ｄ映像が受信され、受信された３Ｄ映像が左眼映像と右眼映像とに分離され、分離された左眼映像と右眼映像とのそれぞれが、一つの画面でディスプレイされることのできる大きさでスケーリング又は補間されるようにする。
【００６３】
なお、制御部２４０はＧＵＩ生成部２５０を制御して、ユーザ命令受信部２７０から伝達されたユーザの命令に対応されるＧＵＩが生成されるようにし、ＩＲ伝送部２８０を制御して、左眼映像及び右眼映像の出力タイミングと同期された同期信号が生成及び伝送されるようにする。
【００６４】
なお、ユーザ命令受信部２７０を介して３Ｄグラス３００のデューティ調節命令が入力されると、制御部２４０は入力されたデューティ調節命令を３Ｄグラス３００に伝送できるようＩＲ伝送部２８０を制御することができる。
【００６５】
一方、３Ｄグラス３００は、ＴＶ２００から受信された同期信号に従って左眼映像と右眼映像とを交互に開閉し、ユーザが左眼と右眼を通して左眼映像及び右眼映像をそれぞれ視聴できるようにする。以下では、図３及び図４を参照しながら、３Ｄグラス３００の具体的な構成について説明する。
【００６６】
図３は、本発明の一実施例に係る３Ｄグラス３００のブロック図を示した図である。図３に示されたように、３Ｄグラス３００は、ＩＲ受信部３１０、制御部３２０、グラス駆動部３３０、グラス部３４０及びユーザ操作部３５０を備える。
【００６７】
ＩＲ受信部３１０は、有線又は無線で接続されたＴＶ２００のＩＲ伝送部２８０から３Ｄ映像に対する同期信号を受信する。特に、ＩＲ伝送部２８０は直進性を持つ赤外線を用いて同期信号を放射し、ＩＲ受信部３１０は放射された赤外線から同期信号を受信する。
【００６８】
例えば、ＩＲ伝送部２８０からＩＲ受信部３１０に伝達される同期信号は、６０Ｈｚの周波数を持つ赤外線信号である。
【００６９】
ＩＲ受信部３１０は、ＩＲ伝送部２８０から受信された同期信号に従ってＩＲ受信部３１０の出力信号を制御部３２０に伝達する。
【００７０】
制御部３２０は３Ｄグラス３００の全般に対する動作を制御する。特に、制御部３２０は、ＩＲ受信部３１０で受信された出力信号に基づいて制御信号を生成し、生成された制御信号をグラス駆動部３３０に伝達してグラス駆動部３３０を制御する。特に、制御部３２０は出力信号に基づいて、グラス部３４０を駆動させるための駆動信号がグラス駆動部３３０で生成されるようにグラス駆動部３３０を制御する。
【００７１】
グラス駆動部３３０は、制御部３２０から受信された制御信号に基づいて駆動信号を生成する。特に、後述のグラス部３４０は、左眼グラス３４３及び右眼グラス３４６で構成されるため、グラス駆動部３３０は左眼グラス３４３を駆動させるための左眼グラス駆動信号と、右眼グラス３４６を駆動させるための右眼グラス駆動信号とをそれぞれ生成し、生成された左眼グラス駆動信号を左眼グラス３４３に伝達し右眼グラス駆動信号を右眼グラス３４６に伝達する。
【００７２】
一方、グラス駆動部３３０は、制御部３２０の制御に従って、左眼グラス３４３及び右眼グラス３４６のオープン期間とクローズド期間との間に過渡期間が存在するように駆動信号のデューティを調節し、調節されたデューティを有する駆動信号をグラス部３４０に伝達する。ここで、過渡期間とは、左眼グラス３４３と右眼グラス３４６とが全てクローズドされている期間のことをいう。このようなグラス駆動部３３０の具体的な駆動方法については図５を参照して後述する。
【００７３】
グラス部３４０は上述のように、左眼グラス３４３及び右眼グラス３４６で構成され、グラス駆動部３３０から受信された駆動信号に従ってそれぞれのグラスを開閉する。特に、左眼グラス３４３及び右眼グラス３４６は液晶を含む物質で構成されている。従って、グラスの開閉時、液晶の反応速度のため、左眼グラス３４３で右眼映像が見えたり右眼グラス３４６で左眼映像が見えたりするクロストーク現象が発生する。このようなクロストーク現象を除去するために、グラス駆動部３３０は左眼グラス３４３及び右眼グラス３４６のオープン期間とクローズド期間との間に過渡期間が存在する駆動信号を生成し、生成された駆動信号をグラス部３４０に伝達する。従って、３Ｄグラスを着用したユーザが受ける刺激と疲労を最小化させることができるようになる。
【００７４】
ユーザ操作部３５０は、３Ｄグラスの左眼グラス３４３及び右眼グラス３４６のうち一方のグラスがクローズドされ他方のグラスがオープンされる間に過渡期間を調節するためのユーザの操作命令の入力を受ける。具体的に、ユーザの操作命令が入力されると、制御部３２０は、ユーザの操作命令に対応する左眼グラス３４３と右眼グラス３４６とがオープンされるデューティの期間を有する駆動信号を生成するように駆動部３３０を制御する。ユーザの操作命令に対応する左眼グラス３４３と右眼グラス３４６とがオープンされるデューティの期間を有する駆動信号を生成することで、３Ｄグラス３００は過渡期間を調節することができるようになる。このようなユーザ操作部３５０はダイアルスイッチ及びボタンのうち一つで実現され得る。
【００７５】
このように、ユーザ操作部３５０を通して過渡期間を調節することで、ユーザはクロストーク現象を除去することができ、希望する明るさの３Ｄ  映像を視聴することができるようになる。
【００７６】
図４は、本発明の一実施形態にかかるダイアルスイッチ３５２が取り付けられた３Ｄグラス３００の側面図を簡略に示す図である。図４は、ユーザ操作部３５０がダイアルスイッチ３２である場合を示している。
【００７７】
図４に示すように、ダイアルスイッチ３５２は３Ｄグラスのフレーム３６０に取り付けられている。従って、ユーザはより容易かつ楽にダイアルスイッチを介して３Ｄグラスの過渡期間を調節することができるようになる。
【００７８】
また、ダイアルスイッチ３５２は目盛りが表示されており、ユーザは過渡期間をどれくらい調節したか判断することができる。
【００７９】
ダイアルスイッチ３５２を介してユーザの特定命令が入力されると、グラス部３４０はユーザの特定命令に対応する長さの過渡期間を有する駆動信号に従って左眼グラス３４３と右眼グラス３４６を交互に開閉する。
【００８０】
以下では、３Ｄ映像のクロストーク現象を除去するための３Ｄグラスの駆動方法を図５及び図６を参照して説明することにする。図５は、本発明の一実施形態にかかる、３Ｄグラス駆動信号が調節される方法を説明するための図である。
【００８１】
３Ｄグラス３００はＩＲ同期信号をＩＲ受信部３１０を介してＴＶ２００から受信する。図５に示すように、ＩＲ同期信号は６０Ｈｚの周波数を有しており、一周期内に３回の短い波長のパルスを持っている。ＩＲ同期信号が３回のパルスを持つ理由は、他の赤外線信号との干渉を回避するためである。
【００８２】
ＩＲ受信部３１０がＴＶ２００から６０Ｈｚの周波数を持つ同期信号を受信されると、ＩＲ受信部３１０は受信されたＩＲ同期信号に応じて、制御部３２０に伝送される出力信号を生成する。ＩＲ同期信号と同様に、出力信号は６０Ｈｚの周波数を持つ。
【００８３】
制御部３２０は、ＩＲ受信部３１０から出力信号を受信されると、グラス駆動部３３０が駆動信号を生成するように制御する。このとき、駆動信号は左眼グラス３４３を駆動するための左眼グラス駆動信号と右眼グラスを駆動するための右眼グラス駆動信号とを含む。
【００８４】
左眼グラス３４３と右眼グラス３４６とは交互に開閉するため、図５の上から３番目のグラフ及び４番目のグラフに開示されているように、左眼グラス駆動信号と右眼グラス駆動信号とは１２０Ｈｚの周波数を持つ。従って、左眼グラス３４３と右眼グラス３４６はそれぞれ１/１２０秒の周期で交互に開閉するようになる。このような場合、左眼グラス３４３がクローズドされる瞬間、右眼グラス３４６がオープンされるようになる。特に、左眼グラス３４３に含まれた液晶物質の反応速度が遅いと、ユーザは左眼グラス３４３を通して右眼映像を見るようになる。
【００８５】
このようなクロストーク現象を除去するために、ユーザ操作部３５０を介してユーザの特定操作が入力されると、制御部３２０は左眼映像及び右眼映像のうち一方がクローズドされ、他方がオープンされる間に過渡期間を有する駆動信号を生成するようにグラス駆動部３３０を制御する。すなわち、制御部３２０は左眼グラス３４３と右眼グラス３４６とがオープンされるデューティの期間を調節して過渡期間を有する駆動信号を生成するようにグラス駆動部３３０を制御する。
【００８６】
例えば、ユーザ操作部３５０を介して左眼グラス３４３と右眼グラス３４６とがオープンされるデューティの期間を５０％に減縮する命令が入力されると、制御部３２０は左眼グラス駆動信号及び右眼グラス駆動信号のそれぞれにオープンされるデューティ期間が既存のデューティ期間より５０％減少された駆動信号を生成するようにグラス駆動部３３０を制御する。従って、調節された左眼グラス駆動信号によって、左眼グラス３４３はＩＲ同期信号の１周期当たり１/２４０秒間オープンされており、３/２４０秒間クローズドされている。同様に、右眼グラス３４６はＩＲ同期信号の１周期当たり１/２４０秒間オープンされており、３/２４０秒間クローズドされている。
【００８７】
なお、図５の上から５番目のグラフに示されているように、左眼グラス３４３がクローズドされ右眼グラス３４６がオープンされる間に、左眼グラス３４３と右眼グラス３４６とが全てクローズドされている過渡期間（ｔ１）が存在する。ここで、過渡期間（ｔ１）は１/２４０秒である。従って、過渡期間（ｔ１）の間に左眼グラス３４３の液晶は全ての反応が終わるため、左眼グラス３４３に右眼映像が見えるクロストーク現象は除去される。
【００８８】
図５の上から６番目のグラフに示されているように、右眼グラス３４６がクローズドされ左眼グラス３４３がまたオープンされる間に、左眼グラス３４３と右眼グラス３４６とが全てクローズドされている過渡期間（ｔ２）が存在する。同様に、過渡期間（ｔ２）は１/２４０になり、右眼グラス３４６の液晶は全ての反応が終わる。したがって、右眼グラス３４６に左眼映像が見えるクロストーク現象は除去される。
【００８９】
上述したように、左眼グラス３４３と右眼グラス３４６がオープンされてクローズドされる間に過渡期間が存在すると、クロストーク現象が除去され得る。なお、ユーザがユーザ操作部３５０を介して過渡期間を調節することができるため、ユーザが希望する３Ｄ映像をクロストーク現象なしに視聴することができるようになる。従って、ユーザはよりよい環境で３Ｄ映像を視聴することができるようになる。
【００９０】
図６は、本発明の一実施形態にかかる３Ｄグラスが駆動する過程を詳しく説明するためのフローチャートである。
【００９１】
３Ｄグラス３００は外部機器であるＴＶ２００から同期信号を受信される（Ｓ６１０）。３Ｄグラス３００が同期信号を受信されると（Ｓ６１０−Ｙ）、３Ｄグラス３００は左眼グラス３４３と右眼グラス３４６とを駆動するための駆動信号を生成する（Ｓ６２０）。このとき、同期信号はＴＶから受信されると想定したが、これは一実施例に過ぎずこれに制限されない。例えば、同期信号はセットトップボックス又はＩＲ伝送器のような他の類型の外部装置から受信され得る。
【００９２】
その後、３Ｄグラス３００は、左眼グラス３４３と右眼グラス３４６がオープンされてクローズドされる間の過渡期間を調節するユーザの特定操作命令が入力されたかを判断する（Ｓ６３０）。ユーザの特定操作命令が入力されなかった場合は（Ｓ６３０−Ｎ）、生成された駆動信号で左眼グラス３４３と右眼グラス３４６とを駆動する（Ｓ６５０）。
【００９３】
しかし、ユーザの特定操作命令が入力された場合は（Ｓ６３０−Ｙ）、３Ｄグラス３００は特定操作命令に対応する長さの過渡期間を有する駆動信号を生成する。たとえは、ユーザ操作部３５０を介して左眼グラス３４３と右眼グラス３４６がオープンされるデューティの期間を５０％に減縮する、即ちデューティ比を５０％に設定する命令が入力されると、３Ｄグラス３００は、左眼グラス駆動信号及び右眼グラス駆動信号のそれぞれにオープンされるデューティ期間が既存のデューティ期間より５０％減少される駆動信号を生成する。従って、駆動信号は既存デューティ期間の５０％の過渡期間を有するようになる。
【００９４】
このように、ユーザの特定操作命令によって過渡期間の調節された駆動信号が生成されると、図５において説明したように、ユーザは希望する明るさでクロストーク現象の除去された３Ｄ映像を視聴することができるようになる。
【００９５】
以下では、図７を参照して、本発明の別の実施形態である、ＴＶ２００を介して３Ｄグラス３００のデューティを調節する方法を説明することにする。
【００９６】
図７は、本発明の一実施形態にかかる、３Ｄグラス３００の駆動信号をＴＶ２００で調節する方法を説明するための図である。
【００９７】
ユーザ命令受信部２７０を介して３Ｄグラスのデューティ調節命令が入力されると、ＴＶ２００はＵＩメニューを生成する。図７に示すように、３Ｄグラスデューティ調節メニューは調節バーを含んでいる。
【００９８】
ユーザがリモコンなどを介して３Ｄグラス３００のデューティ調節命令を入力すると、ＴＶ２００はユーザ命令受信部２７０を介してデューティ調節命令を入力される。そして、ＴＶ２００はＩＲ伝送部２８０を介して同期信号と共にデューティ調節命令を３Ｄグラス３００に送信する。
【００９９】
３Ｄグラス３００が同期信号及びデューティ調節命令を受信すると、３Ｄグラス３００は、受信された同期信号及びデューティ調節命令に従って駆動信号を生成する。そして、３Ｄグラスは生成された駆動信号に従って左眼グラス３４３と右眼グラス３４６とを交互に開閉するようになる。
【０１００】
このように、ＴＶ２００を介して３Ｄグラス３００のデューティを調節することで、ユーザは希望する明るさでクロストーク現象の除去された３Ｄ映像を視聴することができるようになる。
【０１０１】
以上では、ユーザの特定操作によってオープンされるデューティの期間が５０％に減少されることを想定したが、これは一実施例に過ぎない。ユーザの特定操作によってオープンされるデューティの期間を相違に設定することも本発明の技術的な思想が適用される。
【０１０２】
なお、上述した実施形態はコンピュータ読み取り可能媒体上のコンピュータ読み取り可能コードを通して実現され得る。コンピュータ読み取り可能媒体は、コンピュータによって読み取り可能なデータを保存するデータ保存媒体である。例えば、コンピュータ読み取り可能媒体は、ＲＯＭ、ＲＡＭ、ＣＤ−ＲＯＭ、磁気テープ、フロッピー（登録商標）ディスク及び光データ保存媒体になり得る。コンピュータ読み取り可能媒体は、コンピュータ読み取り可能コードを保存して実行するために、ネットワークと接続されたコンピュータシステムに分布され得る。なお、別の実施形態ではコンピュータプログラムが搬送波のようなコンピュータ読み取り伝送媒体を通して伝送されることができ、一般的なデジタルコンピュータに受信されて実行されることができる。更に、ＴＶ２００、外部装置、又は３Ｄグラス３００のうち少なくとも一つのユニットは、コンピュータ読み取り媒体に保存されたコンピュータプログラムを実行させるためのプロセッサやマイクロプロセッサを含んでいる。
【０１０３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011139456.tif 000003
【図２】
2011139456.tif 000004
【図３】
2011139456.tif 000005
【図４】
2011139456.tif 000006
【図５】
2011139456.tif 000007
【図６】
2011139456.tif 000008
【図７】
2011139456.tif 000009